(57)【要約】【課題】トナークラウドの噴出を抑制することができる現像装置及び画像形成装置を提供する。【解決手段】現像剤が収容される収容部が設けられた現像ハウジングと、現像ハウジングに支持され、現像剤を外表面に保持して回転する現像剤保持体と、収容部の一端側で余剰現像剤を外部に排出するための現像剤排出部と、現像剤保持体の外表面に沿って、現像ハウジングの内壁面との間に収容部内から収容部外へ空気を排出する排出路を形成する排出路形成部材と、を備え、排出路は、少なくとも現像剤保持体の一端側から所定の範囲に亘る第１の領域で他の領域に比して排出路が狭く形成されている。【選択図】図４
2016206330.tif 000002
【特許請求の範囲】
【請求項１】
現像剤が収容される収容部が設けられた現像ハウジングと、
前記現像ハウジングに支持され、前記現像剤を外表面に保持して回転する現像剤保持体と、
前記収容部の一端側で余剰現像剤を外部に排出するための現像剤排出部と、
前記現像剤保持体の外表面に沿って、前記現像ハウジングの内壁面との間に前記収容部内から前記収容部外へ空気を排出する排出路を形成する排出路形成部材と、を備え、
前記排出路は、少なくとも前記現像剤保持体の一端側から所定の範囲に亘る第１の領域で他の領域に比して排出路が狭く形成されている、
ことを特徴とする現像装置。
【請求項２】
前記第１の領域は、前記現像剤排出部側に形成されている、
ことを特徴とする請求項１に記載の現像装置。
【請求項３】
前記第１の領域は、前記現像剤保持体の両端側に形成されている、
ことを特徴とする請求項１に記載の現像装置。
【請求項４】
前記第１の領域は、他の領域に比して前記排出路形成部材の外壁面が前記現像ハウジングの内壁面側に近接して配置されている、
ことを特徴とする請求項１ないし３のいずれか１項に記載の現像装置。
【請求項５】
請求項１ないし４のいずれか１項に記載の現像装置と、
前記現像装置から排出された余剰現像剤を回収する現像剤回収容器と、
前記現像装置と前記現像剤回収容器とに接続された現像剤排出路と、
前記現像剤排出路に設けられ、前記現像装置から排出された余剰現像剤を前記現像剤回収容器に搬送する搬送部材と、を含む、
ことを特徴とする画像形成装置。
【発明の詳細な説明】
【技術分野】
【０００１】
本発明は、現像装置及び画像形成装置に関する。
【背景技術】
【０００２】
現像剤を保持して回転しながら、静電潜像が形成された像保持体に当該現像剤を供給する円筒状の現像剤保持体と、現像剤保持体を収容する収容器と、収容器内から収容器外へ空気を排出する排出路を形成する排出路形成部材と、排出路に存在する現像剤に作用する磁界を発生させ、現像剤を排出路内に留める磁性体とを有する現像装置が知られている（特許文献１）。
【先行技術文献】
【特許文献】
【０００３】
【特許文献１】特開２０１５−１４７６０号公報
【発明の概要】
【発明が解決しようとする課題】
【０００４】
本発明は、トナークラウドの噴出を抑制することができる現像装置及び画像形成装置を提供することを目的とする。
【課題を解決するための手段】
【０００５】
前記課題を解決するために、請求項１に記載の現像装置は、
現像剤が収容される収容部が設けられた現像ハウジングと、
前記現像ハウジングに支持され、前記現像剤を外表面に保持して回転する現像剤保持体と、
前記収容部の一端側で余剰現像剤を外部に排出するための現像剤排出部と、
前記現像剤保持体の外表面に沿って、前記現像ハウジングの内壁面との間に前記収容部内から前記収容部外へ空気を排出する排出路を形成する排出路形成部材と、を備え、
前記排出路は、少なくとも前記現像剤保持体の一端側から所定の範囲に亘る第１の領域で他の領域に比して排出路が狭く形成されている、
ことを特徴とする。
【０００６】
請求項２記載の発明は、請求項１に記載の現像装置において、
前記第１の領域は、前記現像剤排出部側に形成されている、
ことを特徴とする。
【０００７】
請求項３記載の発明は、請求項１に記載の現像装置において、
前記第１の領域は、前記現像剤保持体の両端側に形成されている、
ことを特徴とする。
【０００８】
請求項４記載の発明は、請求項１ないし３のいずれか１項に記載の現像装置において、
前記第１の領域は、他の領域に比して前記排出路形成部材の外壁面が前記現像ハウジングの内壁面側に近接して配置されている、
ことを特徴とする。
【０００９】
前記課題を解決するために、請求項５に記載の画像形成装置は、
請求項１ないし４のいずれか１項に記載の現像装置と、
前記現像装置から排出された余剰現像剤を回収する現像剤回収容器と、
前記現像装置と前記現像剤回収容器とに接続された現像剤排出路と、
前記現像剤排出路に設けられ、前記現像装置から排出された余剰現像剤を前記現像剤回収容器に搬送する搬送部材と、を含む、
ことを特徴とする。
【発明の効果】
【００１０】
請求項１に記載の発明によれば、現像装置内部の圧力を低減しつつ、トナークラウド噴出を抑制することができる。
請求項２に記載の発明によれば、隣接する現像装置の他色のトナークラウド噴出を抑制することができる。
請求項３に記載の発明によれば、現像装置内部の圧力を低減しつつ、トナークラウド噴出を抑制することができる。
請求項４に記載の発明によれば、トナークラウド噴出を抑制する排出路を容易に形成することができる。
請求項５に記載の発明によれば、余剰現像剤を排出する画像形成装置におけるトナークラウド噴出を抑制することができる。
【図面の簡単な説明】
【００１１】
【図１】画像形成装置１の内部構成を示す断面模式図である。
【図２】（ａ）は現像装置４０の全体構成を示す斜視図、（ｂ）は現像剤排出部側の底面側に視点をおいた部分斜視図である。
【図３】感光体ドラム３１を含む現像装置４０の縦断面図である。
【図４】排出路４５０の構成を示す模式図である。
【図５】排出路４５０における空気の流れを説明する縦断面図である。
【図６】画像形成装置１における余剰現像剤の排出を説明する部分模式図、
【図７】（ａ）は現像剤排出口４９から流入する他色トナーを示す模式図、（ｂ）は現像剤排出口４９から流入する他色トナーの流れを説明する透過斜視図である。
【図８】（ａ）は排出路４５０とトナークラウド量との関係を示す図、（ｂ）は排出路４５０と現像装置４０の内圧との関係を示す図である。
【発明を実施するための形態】
【００１２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１３】
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１４】
画像形成装置１は、制御装置１０、給紙装置２０、感光体ユニット３０、現像装置４０、転写装置５０、定着装置６０、を備えて構成されている。画像形成装置１の上面（Ｚ方向）には、画像が記録された用紙が排出・収容される排出トレイ１ａが形成されている。
【００１５】
制御装置１０は、画像形成装置１の動作を制御する画像形成装置制御部１１と、印刷処理要求に応じた画像データを準備するコントローラ部１２、露光装置ＬＨの点灯を制御する露光制御部１３、電源装置１４等を有する。電源装置１４は、後述する帯電ローラ３２、現像ローラ４２、一次転写ローラ５２、二次転写ローラ５３等に高圧電圧を印加するとともに、露光装置ＬＨ、給紙装置２０、定着装置６０及び備えられた各センサ等に電力を供給する。
【００１６】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、複数の発光素子（ＬＥＤ：Light  Emitting  Diode）が主走査方向に沿って線状に配列されたＬＥＤヘッドにより構成されている。
【００１７】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１８】
感光体ユニット３０は、給紙装置２０の上方（Ｚ方向）に、それぞれが並列して設けられ、回転駆動する感光体ドラム３１を備えている。感光体ドラム３１の回転方向に沿って、帯電ローラ３２、露光装置ＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００１９】
現像装置４０は、内部に現像剤が収容される現像ハウジング４１を有する。現像ハウジング４１内には、感光体ドラム３１に対向して配置された現像剤保持体としての現像ローラ４２と、この現像ローラ４２の背面側斜め下方には現像剤を現像ローラ４２側へ撹拌搬送する一対の搬送オーガ４４Ａ、４４Ｂが配設されている。現像ローラ４２には、現像剤の層厚を規制する層厚規制部材４６が近接配置されている。
現像装置４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００２０】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２１】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、中間転写ベルト５１上に付着している残留トナーを除去する中間転写ベルトクリーナ５４を備えて構成されている。
【００２２】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２３】
中間転写ベルト５１上の重畳トナー像は、中間転写ベルト５１の移動に伴って二次転写ローラ５３が配置された領域（二次転写部ＴＲ）に搬送される。重畳トナー像が二次転写部ＴＲに搬送されると、そのタイミングに合わせて給紙装置２０から用紙Ｐが二次転写部ＴＲに供給される。そして、二次転写ローラ５３には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２４】
感光体ドラム３１表面の残留トナーは、クリーニングブレード３４により除去され、廃トナー回収容器（不図示）に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２５】
定着装置６０は加熱モジュール６１と加圧モジュール６２を有し、加熱モジュール６１と加圧モジュール６２の圧接領域によって定着ニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、排出ローラ対６９から画像形成装置１上面の排出トレイ１ａに排出される。
【００２６】
（２）現像装置の構成及び作用
図２（ａ）は現像装置４０の全体構成を示す斜視図、（ｂ）は現像剤排出部側の底面側に視点をおいた部分斜視図、図３は像保持体としての感光体ドラム３１を含む現像装置４０の縦断面図、図４は排出口の構成を示す模式図、図５は排出路４５０における空気の流れを説明する縦断面図である。
以下、図面を参照しながら現像装置４０の構成と作用について説明する。
【００２７】
（２．１）現像装置の全体構成
現像装置４０は、現像ハウジング４１の両側板４１Ａ、４１Ｂに現像剤保持体の一例としての現像ローラ４２が回転可能に支持されている。
現像ハウジング４１は、現像剤収容室４３を有し、現像剤収容室４３内には、搬送オーガ４４Ａ、４４Ｂが回転可能に支持されている。現像剤収容室４３の断面視中央部には、搬送オーガ４４Ａ、４４Ｂを離隔する仕切壁４７が立設されている。
【００２８】
現像ハウジング４１の一端側には、現像剤収容室４３に収容された現像剤へトナーを供給するトナー供給口４８が形成され、画像形成装置１本体内に装着されたトナーカートリッジ（図１参照）からトナー供給装置（不図示）を介してトナーが供給され、搬送オーガ４４Ａ、４４Ｂで磁性キャリアと非磁性トナーとを有する現像剤とともに撹拌されながら、現像ローラ４２へ組み上げられ保持される。
【００２９】
トナー供給口４８の底面側には、トナーともに供給された現像剤のうち、現像剤収容室４３内で余剰となった現像剤が排出される現像剤排出口４９が設けられている。
【００３０】
（２．１）現像ローラ
図３に示すように、現像ローラ４２は、現像ハウジング４１に形成された開口部４１Ｃを通じて感光体ドラム３１の外周面と対向配置されている。また、現像ローラ４２は、現像ハウジング４１に対して回転可能に支持された円筒状の円筒部材の一例としての現像スリーブ４２Ａと、現像スリーブ４２Ａの内部空間に設けられ現像ハウジング４１に対して固定された円柱状の磁石部材の一例としてのマグネット４２Ｂと、を備えている。
【００３１】
現像スリーブ４２Ａは、画像形成装置１本体の駆動部（不図示）から回転駆動力を受けて回転する。現像スリーブ４２Ａは、マグネット４２Ｂの磁力によって現像剤が外周面に保持され、現像スリーブ４２Ａの回転により現像剤を感光体ドラム３１の静電潜像へ搬送供給するように構成されている。
【００３２】
現像ローラ４２のマグネット４２Ｂは、ＳＵＳ（ステンレス鋼）等の非磁性材料で形成された軸部４２０と、軸部４２０の外周に設けられ磁性材料で形成された磁性部４３０と、から構成されている。
軸部４２０は、軸方向における両端部が現像ハウジング４１の両側板４１Ａ、４１Ｂに対して固定され、軸部４２０の現像ハウジング４１に対する固定部位よりも軸方向における内側においては、現像スリーブ４２Ａが回転可能に支持されている。
【００３３】
（２．３）層厚規制部材
層厚規制部材４６は、現像ローラ４２の回転方向における感光体ドラム３１よりも上流側であって、感光体ドラム３１及び現像ローラ４２の下側において、現像ローラ４２の外周面と定められた間隙を保持して現像ハウジング４１に固定されている。
【００３４】
層厚規制部材４６は、円柱状に形成された磁性体で構成されている。磁性体としては、一般的な低炭素鋼や、フェライト系のステンレス鋼が挙げられる。
層厚規制部材４６は、磁性体の磁力により現像剤を保持する保持力が発生し、この保持力によって、現像ローラ４２に保持された現像剤の一部が削られて、現像剤層の厚みが、予め定められた厚みに規制される。
【００３５】
（２．４）排出路形成部材
排出路形成部材４５は、現像ローラ４２の外周面に沿って現像ローラ４２の回転軸方向に延び現像ローラ４２の一部を覆うとともに、現像剤収容室４３の内部から外部へ空気を排出する排出路４５０を現像ハウジング４１の内壁面との間に形成する。排出路形成部材４５は、現像ハウジング４１の内壁面の一部分に形成されたリブ（図示せず）により、現像ハウジング４１に支持されて予め定められた開口を有する排出路４５０を形成している。
排出路４５０の排出口４５１は、現像ローラ４２の頂上部Ｔよりも感光体ドラム３１に近い位置に設けられている。
【００３６】
（２．５）排出路
図４（ａ）に示すように、排出路４５０の排出口４５１は、その幅ｗ０が現像ローラ４２の回転軸方向の幅ｗ１よりも長く、現像ローラ４２の回転軸方向の全域にわたって設けられている。そして、排出口４５１の開口厚さＧ１は、全体が２ｍｍ以下である。
排出口４５１の第１の領域である現像剤排出口４９側は、幅ｗ２にわたって開口厚さＧ２は、全体の開口厚さＧ１よりも狭く形成されている。
【００３７】
全体の開口厚さＧ１が２ｍｍ以下に対して、第１の領域は開口厚さＧ２が１ｍｍ以下であり、第１の領域の現像ローラ４２の回転軸方向の幅ｗ２は、１０ｍｍ〜３０ｍｍである。
【００３８】
「変形例」
図４（ｂ）に示すように、排出口４５１の開口厚さは、全体の開口厚さＧ１が２ｍｍ以下に対して、現像ローラ４２の両端からそれぞれ幅ｗ２の領域が、全体の開口厚さＧ１よりも狭く、開口厚さＧ２が１ｍｍ以下で形成されてもよい。また、現像ローラ４２の回転軸方向の幅ｗ２は、いずれも１０ｍｍ〜３０ｍｍである。
【００３９】
このように構成される現像装置４０においては、図５に示すように、現像剤収容室４３内の空気が排出路４５０内を流通して、排出口４５１から現像装置４０外へ排出される。
【００４０】
（３）作用・効果
図６は画像形成装置１における余剰現像剤の排出を説明する部分模式図、図７（ａ）は現像剤排出口４９から流入する他色トナーを示す模式図、（ｂ）は現像剤排出口４９から流入する他色トナーの流れを説明する透過斜視図、図８は排出口とトナークラウド量との関係を示す図である。
以下、図面を参照しながら現像装置４０の作用について説明する。
【００４１】
（３．１）回収（残留）トナーの逆流
画像形成装置１においては、イエロー（Ｙ）、マゼンタ（Ｍ）、シアン（Ｃ）、黒（Ｋ）のトナー像を形成するように、感光体ユニット３０とそれぞれの現像装置４０が隣接して配置されている。
図６（ａ）に示すように、画像形成装置１は、それぞれの現像装置４０から排出された余剰現像剤及びそれぞれの感光体ユニット３０から排出される残留トナーを回収する現像剤回収容器１００と、現像装置４０及び感光体ユニット３０と現像剤回収容器１００とに接続された現像剤排出路１１０と、現像装置４０から排出された余剰現像剤及び感光体ユニット３０から排出された残留トナーを現像剤回収容器１００に搬送する搬送部材１２０とを備えている。
【００４２】
それぞれの現像装置４０の現像剤排出口４９から排出された余剰現像剤は、現像剤排出路１１０の接続部１１１を介して搬送部材１２０上に落下する。
また、それぞれの感光体ユニット３０から排出された残留トナーは、現像剤排出路１１０の接続部１１２を介して搬送部材１２０上に落下する。
そして、それぞれの余剰現像剤及び残留トナーは回転する搬送部材１２０の螺旋羽根で現像剤回収容器１００内へ搬送される
【００４３】
一方、例えば、マゼンタ（Ｍ）のトナー像を形成する現像装置４０（Ｍ）に隣接するイエロー（Ｙ）のトナー像を形成する現像装置４０（Ｙ）の現像剤収容室４３の内圧が上昇した場合、感光体ユニット３０（Ｙ）から回収されるＹ色の残留トナーが現像剤排出路１１０内で逆流して、隣接する現像装置４０（Ｍ）の現像剤排出口４９から流入する虞があった（図６（ｂ）における矢印参照）。
【００４４】
図７に示すように、現像装置４０（Ｍ）の現像剤排出口４９から流入したＹ色の残留トナーは、現像装置４０（Ｍ）の排出路４５０内を流通して、排出口４５１から放出され、画像形成装置１内の汚れ、中間転写ベルト５１の汚染による画像不良、現像装置４０の混色を引き起こす虞があった。
【００４５】
係る隣接する現像装置４０への回収される残留トナーの逆流は、それぞれの現像装置４０の現像剤収容室４３の内圧に差が発生した場合、例えば、それぞれの現像剤収容室４３内の現像剤量に差が発生したり、現像剤収容室４３内の現像剤の分布に差が発生したり、排出路４５０の一部に現像剤等の詰まりが発生した場合に発生しやすいことが知られている。  
【００４６】
（３．２）実験結果
図８（ａ）には排出路４５０の排出口４５１の開口厚さＧ１が全域にわたって２ｍｍで形成されている比較例と、排出口４５１の第１の領域である現像剤排出口４９側が、幅ｗ２（１０ｍｍ〜３０ｍｍ）にわたって開口厚さＧ２が１ｍｍで形成されている実施例とにおける、排出口４５１からのトナークラウド量［ｍｇ／ｍ２］が示されている。
【００４７】
本実験においては、現像装置４０（Ｙ）の現像剤収容室４３の内圧を［４Ｐａ］、隣接する現像装置４０（Ｍ）の現像剤収容室４３の内圧を２［Ｐａ］として印刷を実施し、排出口４５１からのトナークラウド量を測定している。
図８（ａ）に示すように、比較例では、例えば、トナークラウド量が２０［ｍｇ／ｍ２］であったのに比して、実施例においては、トナークラウド量が２［ｍｇ／ｍ２］であった。
【００４８】
また、図８（ｂ）には、比較例、実施例における現像剤収容室４３の内圧を、それぞれ現像装置４０の外側（ＯＵＴ）、中央部（ＣＮＴ）、内側（ＩＮ）において測定した結果が示されている。
図８（ｂ）によれば、排出口４５１の第１の領域である現像剤排出口４９側が、幅ｗ２（１０ｍｍ〜３０ｍｍ）にわたって開口厚さＧ２が１ｍｍで形成されている実施例においても、現像剤収容室４３の内圧は２［Ｐａ］で、排出口４５１の開口厚さＧ２が１ｍｍ程度であれば、排出路４５０の排出口４５１の開口厚さＧ１が全域にわたって２ｍｍで形成されている比較例と比して、現像剤収容室４３の内圧の上昇は抑制されている。
【００４９】
以上、本発明に係る実施形態を詳述したが、本発明は上記実施形態に限定されるものではなく、特許請求の範囲に記載された本発明の要旨の範囲内で種々の変更を行うことが可能である。現像ハウジング４１の内壁面と排出路形成部材４５で形成される排出路４５０の第１の領域における開口厚さＧ２は、排出路４５０の排出口４５１のみ狭く形成されてもよい。
【００５０】
また、本実施例においては、各色のトナー像をそれぞれ一時に形成するタンデム型の画像形成装置について説明したが、現像ローラ４２の両端側からそれぞれ幅ｗ２の領域が、全体の開口厚さＧ１よりも狭く、開口厚さＧ２が１ｍｍ以下で形成された現像装置は、モノクロの画像形成装置においても適用することができる。
【符号の説明】
【００５１】
１・・・画像形成装置
１０・・・制御装置
２０・・・給紙装置
３０・・・感光体ユニット
４０・・・現像装置
４１・・・現像ハウジング
４２・・・現像ローラ
４２Ａ・・・現像スリーブ
４２Ｂ・・・マグネット
４３・・・現像剤収容室
４４Ａ、４４Ｂ・・・搬送オーガ
４５・・・排出路形成部材
４５０・・・排出路
４５１・・・排出口
４６・・・層厚規制部材
４７・・・仕切壁
４９・・・現像剤排出口
５０・・・転写装置
６０・・・定着装置
１００・・・現像剤回収容器
１１０・・・現像剤排出路
１１１、１１２・・・接続部
１２０・・・搬送部材
【図１】
2016206330.tif 000003
【図２】
2016206330.tif 000004
【図３】
2016206330.tif 000005
【図４】
2016206330.tif 000006
【図５】
2016206330.tif 000007
【図６】
2016206330.tif 000008
【図７】
2016206330.tif 000009
【図８】
2016206330.tif 000010